(57)【特許請求の範囲】
【請求項１】
天板、ガス排出口を有する周壁部および底板からなるハウジングと、
前記ハウジング内部に配置された、点火手段が収容された点火手段室を形成する、一端側開口部が閉塞された筒状の点火手段室ハウジングと、
前記ハウジング周壁部との間で、前記ガス排出口と連通されたガス排出経路を形成するように配置された外側筒状壁部と、
前記点火手段室ハウジングと前記外側筒状壁部の間において、天板との間に空間を形成するように配置された、通気孔を有する環状隔壁部を有しており、
前記天板、前記底板、前記点火手段室ハウジングおよび前記外側筒状壁部で囲まれた空間が燃焼室となり、前記燃焼室内にはガス発生剤が充填されているものであり、
さらに燃焼室内において、前記点火手段室ハウジングと前記外側筒状壁部との間に間隔をおき、かつ前記環状隔壁部との間に間隔をおいて底板上に配置された内側筒状壁部を有しており、
前記点火手段室と前記燃焼室が、前記点火手段室ハウジングの前記底板側の周壁部に設けられた開口部からなる第１連通部で連通されており、
前記燃焼室と前記環状隔壁部で形成された空間が、前記環状隔壁部の通気孔で連通されており、
前記環状隔壁部で形成された空間と前記ガス排出口と連通されたガス排出経路が、前記外側筒状壁部と前記天板との間に形成された開口部からなる第２連通部で連通されており、
前記第１連通部と前記内側筒状壁部がハウジング半径方向に正対しており、
前記点火手段室で発生した燃焼生成物が、前記第１連通部を通過した後に前記内側筒状壁部に衝突して前記第２連通部が設けられている天板方向に向かって流れを変える、人員拘束装置用ガス発生器。
【請求項２】
前記内側筒状壁部が、下記の要件（ａ）〜（ｃ）から選ばれる要件のうち、少なくとも要件（ａ）を満たしており、
前記要件（ａ）が、前記底板から前記内側筒状壁部の上端までの高さ（ｈ１）と前記底板から前記環状隔壁部までの高さ（ｈ２）の比率（ｈ１／ｈ２）が０．３〜０．７の範囲となるものである、請求項１記載の人員拘束装置用ガス発生器。
（ａ）前記内側筒状壁部の前記底板からのハウジング軸方向の高さ範囲が調整されていること
（ｂ）前記内側筒状壁部と前記点火手段室ハウジングとの間隔が調整されていること
（ｃ）前記内側筒状壁部の前記底板に対する傾斜角度が調整されていること
【請求項３】
前記要件（ｂ）が、前記点火手段室ハウジングから前記内側筒状壁部までの間隔（Ｌ１）と前記点火手段室ハウジングから前記外側筒状壁部までの間隔（Ｌ２）の比率（Ｌ１／Ｌ２）が０．１〜０．９の範囲となるものであり、
前記要件（ｃ）が、前記底板と前記内側筒状壁部の前記点火手段室ハウジング側の角度が７０°〜１４０°の範囲となるものである、請求項２記載の人員拘束装置用ガス発生器。
【請求項４】
さらに前記第１連通部を形成する開口部上端の前記底板からの高さが、前記底板から前記内側筒状壁部までの高さ（ｈ１）の半分以下の高さである、請求項１〜３のいずれか１項記載の人員拘束装置用ガス発生器。
【請求項５】
前記内側筒状壁部が、筒状壁面部とその下端外周縁からハウジング半径外側方向に延ばされた外側環状平面部を有しているものであり、
前記外側筒状壁部が、筒状壁面部とその下端内周縁からハウジング半径内側方向に延ばされた内側環状平面部を有しているものであり、
前記内側筒状壁部と前記外側筒状壁部が、前記外側環状平面部と前記内側環状平面部において一体に形成されているものであり、
前記外側筒状壁部の筒状壁面部の外周面が、ハウジングのガス排出口が形成されていない周壁部に当接された状態で嵌め込まれている、請求項１〜４のいずれか１項記載の人員拘束装置用ガス発生器。
【請求項６】
前記内側筒状壁部が、筒状壁面部と、その下端内周縁からハウジング半径内側方向に延ばされた内側環状平面部を有しているものであり、
前記内側筒状壁部の内側環状平面部の内周縁が、前記点火手段または前記点火手段室ハウジングに当接された状態で嵌め込まれている、請求項１〜４のいずれか１項記載の人員拘束装置用ガス発生器。
【請求項７】
前記内側筒状壁部が、ハウジング半径方向外側に傾いた筒状の傾斜壁面部と、その下端内周縁からハウジング半径内側方向に延ばされた内側環状平面部を有しているものであり、
前記内側筒状壁部の内側環状平面部の内周縁が、前記点火手段または前記点火手段室ハウジングに当接された状態で嵌め込まれている、請求項１〜４のいずれか１項記載の人員拘束装置用ガス発生器。
【請求項８】
前記内側筒状壁部が、筒状壁面部と、その下端内周縁からハウジング半径外側方向に延ばされた外側環状平面部を有しているものであり、
前記筒状壁面部の上端側の周縁部がハウジング軸方向への凹凸を有し、前記凹凸が周方向に複数箇所形成されており、前記要件（ａ）におけるｈ１が、前記底板から前記筒状壁面部の凹部までの高さであるものであり、
前記外側筒状壁部が、筒状壁面部とその内周縁からハウジング半径内側方向に延ばされた内側環状平面部を有しているものであり、
前記内側筒状壁部と前記外側筒状壁部が、前記外側環状平面部と前記内側環状平面部において一体に形成されているものであり、
前記外側筒状壁部の筒状壁面部の外周面が、ハウジングのガス排出口が形成されていない周壁部に当接された状態で嵌め込まれている、請求項２〜４のいずれか１項記載の人員拘束装置用ガス発生器。
【請求項９】
前記内側筒状壁部が、筒状壁面部と、その下端内周縁からハウジング半径内側方向に延ばされた内側環状平面部からなるものであり、
前記筒状壁面部の上端側の周壁部がハウジング軸方向への凹凸を有し、前記凹凸が周方向に複数箇所形成されているものであり、
前記要件（ａ）におけるｈ１が、前記底板から前記筒状壁面部の凹部までの高さであり、
前記内側筒状壁部の内側環状平面部の内周縁が、前記点火手段または前記点火手段室ハウジングに当接された状態で嵌め込まれている、請求項２〜４のいずれか１項記載の人員拘束装置用ガス発生器。
【請求項１０】
前記内側筒状壁部が、筒状壁面部において、複数の貫通孔が周方向に形成されているものであり、
前記要件（ａ）におけるｈ１が、前記底板から前記貫通孔の下端周縁までの高さである、請求項２〜４のいずれか１項記載の人員拘束装置用ガス発生器。
【請求項１１】
前記通気孔を有する環状隔壁部と前記天板との間の空間内に環状のフィルタが配置されている、請求項１〜１０のいずれか１項記載の人員拘束装置用ガス発生器。
【発明の詳細な説明】
【技術分野】
【０００１】
本発明は、エアバッグ装置などの人員拘束装置用として適したガス発生器に関する。
【背景技術】
【０００２】
ガス発生剤を使用するガス発生器には、燃焼室における着火開始部分と燃焼ガスを燃焼室から排出する出口の位置を調整することで、燃焼室に充填されたガス発生剤の着火・燃焼性を向上させたものが知られている。
【０００３】
特許文献１のガス発生器は、燃焼室４０内のガス発生剤４１がクロージャシェルの底板１３ａ側の通気部２７に面した部分から着火され、燃焼ガスが燃焼室４０の出口である多孔部材５０から排出されることになり、燃焼室４０において軸方向の下側から上側にガスが流れる。
このため、通気部２７近傍で着火したガス発生剤から高温の燃焼ガスが発生し、それが軸方向上側（空間６０側）に流れるので、作動初期には未燃焼状態である多孔部材５０寄りのガス発生剤も燃焼しやすく、燃焼室４０内部全体のガス発生剤の着火性能が向上する。
【０００４】
特許文献２のガス発生器は、リングバリア６０によってプロペラント室を２つの室６２、６４に分離している。作動時には、プロペラント室６２のプロペランと４０を直接点火器２４で燃焼されるが、リングバリア６０により点火器２４からの火炎がプロペラント室６４のプロペラント６６に届かないようになっている。プロペラント室６４のプロペラント６６は、プロペラント４０からの熱伝達によって着火される。
【０００５】
特許文献３は、図１〜図３において３つのガス発生器が示されている。図１では、燃焼室３にインサート９が配置されており、図２では、燃焼室内にボール部２０を有するインサート１８が配置されており、図３では、燃焼室内にインサート２９が配置されている。そして、各インサートによって大小のチャンバに分け各チャンバにガス発生剤を充填している。作動では小チャンバー内のガス発生剤を先に燃焼させ、その発生ガスを大チャンバーに供給してその中のガス発生剤を着火させる。
【０００６】
ガス発生器から放出させた燃焼ガスによりエアバッグを膨張させる場合、横軸を時間（ｍｓ）、縦軸を圧力としたとき、Ｓ字状の曲線（Ｓ字カーブ）が描かれるようにガスが放出される（圧力が高められる）ことが、エアバッグ展開に対する乗員への影響や保護の観点から望ましいことが知られている（例えば特開２０００−０２６１８９号公報の図１、特開２００３−１９１８１６号公報の図４参照）。
特許文献１のガス発生器は、燃焼室内のガス発生剤の着火燃焼性が向上されているが、燃焼室内のガス発生剤を一気に燃焼させるような着火性を向上させることを目的としているので、上記のようなＳ字カーブを描くように燃焼ガスを放出させる構成は、特許文献１の本来の目的から反することである。
【０００７】
特許文献２では、燃焼室が２つに分離されており、一方のプロペラント室からの熱の伝達によって片方のプロペラント室のプロペラント着火燃焼させるものであるため、周りの環境温度によって熱の伝達が影響を受け、上記のようなＳ字カーブを描くように燃焼ガスを放出させることが難しいことが考えられる。
【０００８】
特許文献３の図１のガス発生器では、点火口８、インサート９、ガス排出口１５の配置状態から考えて、燃焼室内のガス発生剤全体の着火性が良すぎ、本来の効果を得ることが困難と考えられる。
さらに図２のガス発生器では、少量ガス発生剤部２１からの燃焼ガスを、開口２３を通して大量ガス発生剤部２２に着火させることが記載されており、図１と同様に本来の効果を得ることが難しく、図３のガス発生器でも同様のことが考えられる。
よって、図１〜図３のガス発生器では、上記のようなＳ字カーブを描くように燃焼ガスを放出させることが難しいことが考えられる。
【先行技術文献】
【特許文献】
【０００９】
【特許文献１】特開２０１０−１６３０２５号公報
【特許文献２】米国特許５，６２８，５２８号公報
【特許文献３】米国特許５，００９，８５５号公報
【発明の概要】
【発明が解決しようとする課題】
【００１０】
本発明は、一つの点火手段を使用し、燃焼室内に充填されたガス発生剤の着火開始時間に時間差を生じさせることができる、エアバッグ装置などの人員拘束装置用として適したガス発生器を提供することを課題とする。
【課題を解決するための手段】
【００１１】
請求項１の発明は、
天板、ガス排出口を有する周壁部および底板からなるハウジングと、
前記ハウジング内部に配置された、点火手段が収容された点火手段室を形成する、一端側開口部が閉塞された筒状の点火手段室ハウジングと、
前記ハウジング周壁部との間で、前記ガス排出口と連通されたガス排出経路を形成するように配置された外側筒状壁部と、
前記点火手段室ハウジングと前記外側筒状壁部の間において、天板との間に空間を形成するように配置された、通気孔を有する環状隔壁部を有しており、
前記天板、前記底板、前記点火手段室ハウジングおよび前記外側筒状壁部で囲まれた空間が燃焼室となり、前記燃焼室内にはガス発生剤が充填されているものであり、
さらに燃焼室内において、前記点火手段室ハウジングと前記外側筒状壁部との間に間隔をおき、かつ前記環状隔壁部との間に間隔をおいて底板上に配置された内側筒状壁部を有しており、
前記点火手段室と前記燃焼室が、前記点火手段室ハウジングの前記底板側の周壁部に設けられた開口部からなる第１連通部で連通されており、
前記燃焼室と前記環状隔壁部で形成された空間が、前記環状隔壁部の通気孔で連通されており、
前記環状隔壁部で形成された空間と前記ガス排出口と連通されたガス排出経路が、前記外側筒状壁部と前記天板との間に形成された開口部からなる第２連通部で連通されており、
前記第１連通部と前記内側筒状壁部がハウジング半径方向に正対しており、
前記点火手段室で発生した燃焼生成物が、前記第１連通部を通過した後に前記内側筒状壁部に衝突して前記第２連通部が設けられている天板方向に向かって流れを変え、前記環状隔壁部の通気孔を通過する、人員拘束装置用ガス発生器を提供する。
【００１２】
本発明のガス発生器では、ガス発生剤が充填されている燃焼室内に内側筒状壁部が配置されていることによって、燃焼室内において、相対的に早くガス発生剤が着火燃焼する空間（以下「初期着火空間」とする）と、相対的に遅くガス発生剤が着火燃焼する空間（以下「後期着火空間」とする）が設けられている。
初期着火空間は、内側筒状壁部の半径方向内側に形成されている。また後期着火空間は、内側筒状壁部の半径方向外側に形成されている。
また本発明のガス発生器では、点火手段室と燃焼室を連通する第１連通部と内側筒状壁部がハウジング半径方向に正対している。
第１連通部を形成する開口部上端の底板からの高さは、底板から内側筒状壁部までの高さ（ｈ１）の半分以下の高さであることが好ましい。
【００１３】
本発明のガス発生器は、点火手段室内の点火手段が作動して、第１連通部から燃焼室内に燃焼生成物（火炎や燃焼ガスなど）が放出されたとき、燃焼生成物はハウジング半径方向に放出され、最初に初期着火空間内に充填されているガス発生剤が着火燃焼され、燃焼ガスが発生する。
そして、第１連通部から放出された燃焼生成物は、初期着火空間内のガス発生剤を燃焼させた後で内側筒状壁部に衝突する。
ハウジング内には、第２連通部とガス排出口と連通されたガス排出経路が天板側にあることから、この燃焼ガスは燃焼生成物とともに天板方向に流れ、初期着火空間よりも軸Ｘ方向上（天板側）に存在する未燃焼のガス発生剤を着火させる。
このときに発生したガスは、環状隔壁部に形成された通気孔を通り、燃焼室の上に形成された空間に流れる。ただし、後期着火空間に存在するガス発生剤は、その軸Ｘ方向への燃焼ガスの流れとは逆の位置に存在しており、着火が遅れる。この通気孔は環状隔壁部に均一に多数形成することができ、これによって燃焼ガスの通過が妨げられたり、初期着火空間で発生したガスの一部が反射して後期着火空間のガスを着火させたりすることを制御する。
このように燃焼室内にガスの出口に対して軸Ｘ方向反対側に初期着火空間と後期着火空間を設けることで、燃焼室内に充填されたガス発生剤の着火開始時間に時間差を生じさせることができるため、上記のＳ字カーブを描くように燃焼ガスを放出させることができる。
本発明では、特に内側筒状壁部に対して半径方向内側を初期着火空間として第1連通部に直接連通させ、半径方向外側に後期着火空間を形成していることから、上記作用効果が得ることが容易になる。
【００１４】
請求項２の発明は、
前記内側筒状壁部が、下記の要件（ａ）〜（ｃ）から選ばれる要件のうち、少なくとも要件（ａ）を満たしており、
前記要件（ａ）が、前記底板から前記内側筒状壁部の上端までの高さ（ｈ１）と前記底板から前記環状隔壁部までの高さ（ｈ２）の比率（ｈ１／ｈ２）が０．３〜０．７の範囲となるものである、請求項１記載の人員拘束装置用ガス発生器を提供する。
（ａ）前記内側筒状壁部の前記底板からのハウジング軸方向の高さ範囲が調整されていること
（ｂ）前記内側筒状壁部と前記点火手段室ハウジングとの間隔が調整されていること
（ｃ）前記内側筒状壁部の前記底板に対する傾斜角度が調整されていること
【００１５】
燃焼室内に内側筒状壁部が配置されていることから、初期着火空間と後期着火空間が形成されており、燃焼室内に充填されたガス発生剤の着火燃焼時間に時間差を生じさせることができ、上記のＳ字カーブを描くように燃焼ガスを放出させることができる。
このとき、要件（ａ）を所定範囲に調整することで、初期着火空間内に充填されたガス発生剤の着火開始時間と、後期着火空間内に充填されたガス発生剤の着火開始時間の時間差をより望ましい範囲に調整することができる。
また必要に応じて要件（ｂ）、（ｃ）を調整して、初期着火空間と後期着火空間の容積（ガス発生剤の充填量）を調整することができる。
【００１６】
要件（ｂ）は、点火手段室ハウジングから内側筒状壁部までの間隔（Ｌ１）と点火手段室ハウジングから外側筒状壁部までの間隔（Ｌ２）の比率（Ｌ１／Ｌ２）が０．１〜０．９の範囲となるものが好ましく、０．３〜０．７の範囲となるものがより好ましい。
なお、Ｌ１は、点火手段室ハウジングの外周面から内側筒状壁部の外周面までの最長間隔、Ｌ２は、点火手段室ハウジングの外周面から外側筒状壁部の外周面までの最長間隔で決定される。
要件（ｃ）は、底板と内側筒状壁部の点火手段室ハウジング側の角度が７０°〜１４０°の範囲となるものが好ましい。
【００１７】
請求項５の発明は、
前記内側筒状壁部が、筒状壁面部とその下端外周縁からハウジング半径外側方向に延ばされた外側環状平面部を有しているものであり、
前記外側筒状壁部が、筒状壁面部とその下端内周縁からハウジング半径内側方向に延ばされた内側環状平面部を有しているものであり、
前記内側筒状壁部と前記外側筒状壁部が、前記外側環状平面部と前記内側環状平面部において一体に形成されているものであり、
前記外側筒状壁部の筒状壁面部の外周面が、ハウジングのガス排出口が形成されていない周壁部に当接された状態で嵌め込まれている、請求項１〜４のいずれか１項記載の人員拘束装置用ガス発生器を提供する。
【００１８】
内側筒状壁部と外側筒状壁部が一体になったものを使用すると、一度で二つの部品を取り付けることができるため、取り付け作業が容易になる。
また、内側筒状壁部の筒状壁面部の高さや角度、外側環状平面部と内側環状平面部の長さを調整することで、上記した要件（ａ）、（ｂ）、（ｃ）の調整が容易になる。
【００１９】
請求項６の発明は、
前記内側筒状壁部が、筒状壁面部と、その下端内周縁からハウジング半径内側方向に延ばされた内側環状平面部を有しているものであり、
前記内側筒状壁部の内側環状平面部の内周縁が、前記点火手段または前記点火手段室ハウジングに当接された状態で嵌め込まれている、請求項１〜４のいずれか１項記載の人員拘束装置用ガス発生器を提供する。
【００２０】
内側筒状壁部は、点火手段（点火器を固定する金属製のカラー）または点火手段室ハウジングに当接するように取り付けることができるため、位置決めが容易である。
また、内側筒状壁部の筒状壁面部の高さ、内側環状平面部の長さを調整することで、上記した要件（ａ）、（ｂ）の調整が容易になる。
【００２１】
請求項７の発明は、
前記内側筒状壁部が、ハウジング半径方向外側に傾いた筒状の傾斜壁面部と、その下端内周縁からハウジング半径内側方向に延ばされた内側環状平面部を有しているものであり、
前記内側筒状壁部の内側環状平面部の内周縁が、前記点火手段または前記点火手段室ハウジングに当接された状態で嵌め込まれている、請求項１〜４のいずれか１項記載の人員拘束装置用ガス発生器を提供する。
【００２２】
内側筒状壁部は、点火手段（点火器を固定する金属製のカラー）または点火手段室ハウジングに当接するように取り付けることができるため、位置決めが容易である。
また、内側筒状壁部の筒状壁面部の高さや角度、内側環状平面部の長さを調整することで、上記した要件（ａ）〜（ｃ）の調整が容易になる。
【００２３】
請求項８の発明は、
前記内側筒状壁部が、筒状壁面部と、その下端内周縁からハウジング半径外側方向に延ばされた外側環状平面部を有しているものであり、
前記筒状壁面部の上端側の周縁部がハウジング軸方向への凹凸を有し、前記凹凸が周方向に複数箇所形成されており、前記要件（ａ）におけるｈ１が、前記底板から前記筒状壁面部の凹部までの高さであるものであり、
前記外側筒状壁部が、筒状壁面部とその内周縁からハウジング半径内側方向に延ばされた内側環状平面部を有しているものであり、
前記内側筒状壁部と前記外側筒状壁部が、前記外側環状平面部と前記内側環状平面部において一体に形成されているものであり、
前記外側筒状壁部の筒状壁面部の外周面が、ハウジングのガス排出口が形成されていない周壁部に当接された状態で嵌め込まれている、請求項２〜４のいずれか１項記載の人員拘束装置用ガス発生器を提供する。
【００２４】
内側筒状壁部と外側筒状壁部が一体になったものを使用すると、一度で二つの部品を取り付けることができるため、取り付け作業が容易になる。
また、内側筒状壁部の筒状壁面部の高さや角度、外側環状平面部と内側環状平面部の長さを調整することで、上記した要件（ａ）、（ｂ）、（ｃ）の調整が容易になる。
さらに内側筒状壁部として筒状壁面部に凹凸を形成したものを使用することで、上記した要件（ａ）を微調整できるようになる。
【００２５】
請求項９の発明は、
前記内側筒状壁部が、筒状壁面部と、その下端内周縁からハウジング半径内側方向に延ばされた内側環状平面部からなるものであり、
前記筒状壁面部の上端側の周壁部がハウジング軸方向への凹凸を有し、前記凹凸が周方向に複数箇所形成されているものであり、
前記要件（ａ）におけるｈ１が、前記底板から前記筒状壁面部の凹部までの高さであり、
前記内側筒状壁部の内側環状平面部の内周縁が、前記点火手段または前記点火手段室ハウジングに当接された状態で嵌め込まれている、請求項２〜４のいずれか１項記載の人員拘束装置用ガス発生器を提供する。
【００２６】
内側筒状壁部は、点火手段（点火器を固定する金属製のカラー）または点火手段室ハウジングに当接するように取り付けることができるため、位置決めが容易である。
また、内側筒状壁部の筒状壁面部の高さや角度、内側環状平面部の長さを調整することで、上記した要件（ａ）、（ｂ）、（ｃ）の調整が容易になる。
さらに内側筒状壁部として筒状壁面部に凹凸を形成したものを使用することで、上記した要件（ａ）を微調整できるようになる。
【００２７】
請求項１０の発明は、
前記内側筒状壁部が、筒状壁面部において、複数の貫通孔が周方向に形成されているものであり、
前記要件（ａ）におけるｈ１が、前記底板から前記貫通孔の下端周縁までの高さである、請求項２〜４のいずれか１項記載の人員拘束装置用ガス発生器を提供する。
【００２８】
内側筒状壁部の筒状壁面部の高さや角度、内側環状平面部の長さを調整することで、上記した要件（ａ）、（ｂ）、（ｃ）の調整が容易になる。
さらに内側筒状壁部として筒状壁面部に貫通孔を形成したものを使用し、その貫通孔の開口径や数、および形状、ならびにハウジングの底板からの高さを調整することで上記した要件（ａ）を微調整できるようになる。
【００２９】
請求項１１の発明は、
前記通気孔を有する環状隔壁部と前記天板との間の空間内に環状のフィルタが配置されている、請求項１〜１０のいずれか１項記載の人員拘束装置用ガス発生器を提供する。
フィルタは、燃焼ガスを濾過及び冷却する機能を有している公知のフィルタを使用することができる。
【発明の効果】
【００３０】
本発明のガス発生器によれば、一つの点火器によりガス発生剤を着火燃焼させたときであっても、燃焼室内に充填されたガス発生剤の着火開始時間に時間差を生じさせることができるため、上記のＳ字カーブを描くように燃焼ガスを放出してエアバッグを膨張させることができる。
【図面の簡単な説明】
【００３１】
【図１】本発明のガス発生器のハウジングの軸Ｘ方向の断面図。
【図２】本発明の別実施形態であるガス発生器のハウジングの軸Ｘ方向の断面図。
【図３】本発明のさらに別実施形態であるガス発生器のハウジングの軸Ｘ方向の断面図。
【図４】図２または図３のガス発生器で使用できる内側筒状壁部の斜視図。
【図５】図２または図３のガス発生器で使用できる別実施形態である内側筒状壁部の斜視図。
【発明を実施するための形態】
【００３２】
（１）図１のガス発生器
図１のガス発生器１０において、金属製のハウジング１１は、ディフューザシェル１２とクロージャシェル１３が接触部において溶接固定されたものである。
ディフューザシェル１２は、天板１２ａ、複数のガス排出口１４を有する上部周壁部１２ｂからなるカップ状のものである。ガス排出口１４は、防湿のため、内側からアルミニウムテープで閉塞されている。
クロージャシェル１３は、底板１３ａと下部周壁部１３ｂからなるカップ状のものである。
上部周壁部１２ｂと下部周壁部１３ｂによりハウジング１１の周壁部が形成されている。
図１に示すとおり、ハウジング１１は、ディフューザシェル１２内にクロージャシェル１３が嵌め込まれた状態にて、接触部が溶接固定されており（溶接固定部１５）、溶接固定部１５の内周面には図１に示すような環状段差１５ａが生じている。
【００３３】
クロージャシェル１３の底板１３ａの中央部には、点火器カラー２１と樹脂２２で保持された点火器２０が配置されている。点火器カラー２１は、底板１３ａと一体になったものであるが、別部材を溶接一体化したものでもよい。
ハウジング１１の中央部には、筒状の点火手段室ハウジング３０が点火器２０および点火器カラー２１に対して被せられた状態で配置されている。
点火手段室ハウジング３０の内側は点火手段室３４となっており、内部には点火手段となる、一つの点火器２０、図示していない伝火薬又はガス発生剤が収容されている。
筒状の点火手段室ハウジング３０は、天板１２ａ側が閉塞面３１となっている。
閉塞面３１は、天板１２ａ側の開口部側が別部材で閉塞されたもの、または天板１２ａ側の開口部側が天板１２ａに当接されて閉塞されたものである。その他、カップ状ハウジングを使用することもできる。
【００３４】
筒状の点火手段室ハウジング３０の周壁３２の内周面３２ａは、一部（非接触部分）を除いて点火器カラー２１と接触している。
周壁３２の内周面３２ａと点火器カラー２１は、点火器カラー２１に対する点火手段室ハウジング３０の固定強度を高めるため、図１に示すように内側に突き出された突出部３６により点火器カラー２１を押すようにして固定されていてもよい。
周壁３２の内周面３２ａと点火器カラー２１の非接触部分には、軸Ｘ方向への隙間からなる燃焼生成物の通路３５が形成されている。
【００３５】
点火手段室ハウジング３０は、底板１３ａ側の周壁３２の一部に第１連通部３３が形成されている。第１連通部３３は開口されており、シールテープのような閉塞部材で閉塞されていない。
第１連通部３３は、周壁３２の開口部側に形成された軸Ｘ方向の凹部（周縁を切り取った部分）または厚さ方向への貫通孔からなるものである。
第１連通部３３は、燃焼生成物の通路３５を介して、点火手段室３４と連通されている。
【００３６】
外側筒状壁部４０は、筒状壁面部４１とその下端側（底板１３ａ側）の内周縁からハウジング半径内側方向に延ばされた内側環状平面部４２を有している。
外側筒状壁部４０は、内側環状平面部４２が底板１３ａに当接され、かつ筒状壁面部４１の一部がクロージャシェル１３の下部周壁部１３ｂに当接されている。
そして、環状段差１５ａがあることにより筒状壁面部４１とディフューザシェル１２の上部周壁部１２ｂの間には、ガス排出口１４と連通された筒状のガス排出経路１６が形成されている。
外側筒状壁部４０は、筒状壁面部４１の天板１２ａ側が部分的に切除された切り欠き部または開口部からなる第２連通部４３を有している。
【００３７】
点火手段室ハウジング３０と外側筒状壁部４０の間には、天板１２ａとの間に空間を形成するように環状隔壁部５０が配置されている。
環状隔壁部５０は、複数の通気孔５３を有する環状平板部５１と、環状平板部５１の内周縁から軸Ｘ方向に延ばされた環状壁部５２を有しており、環状壁部５２において点火手段室ハウジング３０に圧入されて取り付けられている。通気孔５３は、環状平板部５１全体にわたって均一に形成されており、ガス発生剤からの燃焼ガスが通過するときに妨げにならない開口面積を有している。
天板１２ａと環状隔壁部５０の間に形成された環状空間には、環状のフィルタ８０が配置されている。環状フィルタ８０は、ガス発生剤から発生した燃焼ガスを濾過および冷却することができる公知のフィルタである。
環状隔壁部５０で形成された空間（環状フィルタ８０が配置された空間）とガス排出経路１６は、第２連通部４３で連通されている。
【００３８】
環状隔壁部５０、底板１３ａ、点火手段室ハウジング３０および外側筒状壁部４０で囲まれた空間が燃焼室６０となり、燃焼室６０内には図示していない公知のガス発生剤が充填されている。
燃焼室６０と環状隔壁部５０で形成された空間は、環状隔壁部５０の通気孔５３で連通されている。
【００３９】
燃焼室６０内には、さらに内側筒状壁部７０が配置されている。
内側筒状壁部７０は、筒状壁面部７１とその下端側（底板１３ａ側）の外周縁からハウジング半径外側方向に延ばされた外側環状平面部７２を有しており、底板１３ａ上に外側環状平面部７２が置かれた状態で配置されている。
図１では、外側筒状壁部４０と内側筒状壁部７０は、内側環状平面部４２と外側環状平面部７２が一体に形成されているが、分離されたものでもよい。
筒状壁面部７１は、点火手段室ハウジング２０と外側筒状壁部４０との間に間隔をおき、かつ環状隔壁部５０との間に間隔をおいて配置されている。
【００４０】
内側筒状壁部７０は、下記の要件（ａ）〜（ｃ）から選ばれる要件のうち、少なくとも要件（ａ）を満たしているものである。
＜要件（ａ）＞
内側筒状壁部７０の底板１３ａからのハウジング軸方向の高さ範囲が調整されていること。
要件（ａ）は、底板１３ａから内側筒状壁部７０の上端までの高さ（ｈ１）と底板１３ａから環状隔壁部５０までの高さ（ｈ２）の比率（ｈ１／ｈ２）が０．３〜０．７の範囲となるものである。
図１のガス発生器１０では、ｈ１／ｈ２＝０．４である。
＜要件（ｂ）＞
（ｂ）内側筒状壁部７０と点火手段室ハウジング３０との間隔が調整されていること。
要件（ｂ）は、点火手段室ハウジング３０から内側筒状壁部７０までの間隔（Ｌ１）と点火手段室ハウジング３０から外側筒状壁部４０までの間隔（Ｌ２）の比率（Ｌ１／Ｌ２）が好ましくは０．３〜０．７の範囲となるものである。
図１のガス発生器１０では、Ｌ１／Ｌ２＝０．５である。
＜要件（ｃ）＞
内側筒状壁部７０の底板１３ａに対する傾斜角度が調整されていること。
要件（ｃ）は、底板１３ａと内側筒状壁部７０の点火手段室ハウジング３０側の角度が７０°〜１４０°の範囲となるものである。
図１のガス発生器１０では、前記角度は９０°である。
【００４１】
内側筒状壁部７０（筒状壁面部７１）と第１連通部３３は、ハウジング半径方向に正対している。
第１連通部３３を形成する開口部上端の底板１３ａからの高さは、底板１３ａから内側筒状壁部７０（筒状壁面部７１）までの高さ（ｈ１）の半分以下の高さであることが好ましい。
【００４２】
次に、図１に示すガス発生器１０を周知の車両用のエアバッグ装置に組み込んだときの動作を説明する。
【００４３】
点火手段室３４内の点火器２０が作動すると、伝火薬又はガス発生剤が着火燃焼され、燃焼生成物（火炎、燃焼ガス等）が発生する。
発生した燃焼生成物が第１連通部３３から燃焼室６０内に放出されたとき、点火手段室ハウジング２０と内側筒状壁部７０の間の初期着火空間に充填されたガス発生剤が着火燃焼される。
ここで初期着火空間は、クロージャシェルの底板１３ａ、内側筒状壁部の筒状壁面部７１、筒状の点火手段室ハウジングの周壁３２で囲まれた環状空間である。
【００４４】
第１連通部３３から燃焼室６０内に向かって半径方向外側に燃焼生成物が直進して、第１連通部３３と正対する内側筒状壁部７０（筒状壁面部７１）に衝突してその流れを軸方向（天板１２ａ方向、すなわちフィルタ８０が配置された空間の方向）に変える。
そのとき、初期着火空間（筒状壁面部７１の内側空間）に存在するガス発生剤が燃焼し、そこから発生した燃焼ガスが天板１２ａ方向に流れるため、その方向に存在する未燃焼のガス発生剤も着火させる。
しかし、後期着火空間（底板１３ａ、内側筒状壁部の筒状壁面部７１、外側筒状壁部の筒状壁面部４１で囲まれた空間）に充填されたガス発生剤は、その燃焼ガスの流れる方向に存在せず、着火しにくい状態である。
【００４５】
このため同一空間に存在しながらも、着火しやすいガス発生剤と着火しにくいガス発生剤が存在する。
つまり、初期着火空間のガス発生剤が着火燃焼して燃焼ガスが発生し、ガス排出口１４から排出された後で、後期着火空間のガス発生剤が着火燃焼して燃焼ガスが発生し、ガス排出口１４から排出されるため、Ｓ字カーブを描くように燃焼ガスを放出してエアバッグを膨張させることができる。
特に本発明のガス発生器では、筒状壁面部７１により向きを変えた燃焼生成物が、第２連通部４３と連通されているフィルタ８０が配置された空間に至るまで直線的に流れて初期着火空間上にある燃焼室６０内のガス発生剤を着火燃焼させるため、後期着火空間に存在するガス発生剤に与える影響が少ない。
よって、初期着火空間に存在するガス発生剤との着火タイミングを際立たせることができる。
【００４６】
（２）図２のガス発生器
図２のガス発生器１００は、図１のガス発生器１０とは、外側筒状壁部の形状と、内側筒状壁部の形状および取り付け状態が異なるほかは、要件（ａ）〜（ｃ）も含めて同じものであり、同様に動作することができる。
【００４７】
外側筒状壁部１４０は、筒状壁面部１４１と、その下端側（底板１３ａ側）の内周縁からハウジング半径内側方向に延ばされた内側環状平面部１４２を有している。
外側筒状壁部１４０は、内側環状平面部１４２が底板１３ａに当接され、かつ筒状壁面部１４１がクロージャシェル１３の下部周壁部１３ｂに当接されている。
そして、環状段差１５ａがあることにより筒状壁面部１４１とディフューザシェル１２の上部周壁部１２ｂの間には、ガス排出口１４と連通された筒状のガス排出経路１６が形成されている。
外側筒状壁部１４０は、筒状壁面部１４１の天板１２ａ側が部分的に切除された切り欠き部または開口部からなる第２連通部４３を有している。
【００４８】
燃焼室６０内には、内側筒状壁部１７０が配置されている。
内側筒状壁部１７０は、筒状壁面部１７１とその外周縁からハウジング半径内側方向に延ばされた内側環状平面部１７２を有している。
内側筒状壁部１７０は、内側環状平面部１７２が底板１３ａに置かれ、内周縁が点火手段室ハウジング３０の周壁３２に当接された状態で配置されている。
このとき、筒状壁面部１７１は、要件（ａ）〜（ｃ）を満たすように、点火手段室ハウジング２０と外側筒状壁部１４０との間に間隔をおき、かつ環状隔壁部５０との間に間隔をおいて配置されている。
なお、内側環状平面部１７２の内周縁が点火器カラー２１に当接され、内側環状平面部１７２の上に点火手段室ハウジング３０の開口部が当接されていてもよい。
【００４９】
（３）図３のガス発生器
図３のガス発生器２００は、図２のガス発生器１００とは、内側筒状壁部の形状が異なるほかは同じものであり、同様に動作することができる。
【００５０】
燃焼室６０内には、内側筒状壁部２７０が配置されている。
内側筒状壁部２７０は、筒状壁面部２７１と、その下端側（底板１３ａ側）の外周縁からハウジング半径内側方向に延ばされた内側環状平面部２７２を有している。
筒状壁面部２７１は、その上端側が半径方向外側に傾いた傾斜壁面部となっている。
なお、図３で示す内側筒状壁部２７０は、図１に示す内側筒状壁部７０と同様の形状にして外側筒状壁部と一体にしたものにすることもできるが、その場合には、筒状壁面部２７１は、その上端側が半径方向内側に傾いた傾斜壁面部となっている。
内側筒状壁部２７０は、内側環状平面部２７２が底板１３ａに置かれ、内周縁が点火手段室ハウジング３０の周壁３２に当接された状態で配置されている。
このとき、筒状壁面部２７１は、下記要件（ａ）〜（ｃ）を満たすように点火手段室ハウジング３０と外側筒状壁部１４０との間に間隔をおき、かつ環状隔壁部５０との間に間隔をおいて配置されている。
なお、内側環状平面部２７２の内周縁が点火器カラー２１に当接され、内側環状平面部２７２の上に点火手段室ハウジング２０の開口部が当接されていてもよい。
要件（ａ）：ｈ１／ｈ２＝０．４
要件（ｂ）：Ｌ１／Ｌ２＝０．５（Ｌ１は、筒状壁面部２７１と内側環状平面部２７２との外側角部までの長さである。）
要件（ｃ）：底板１３ａと内側筒状壁部２７０（筒状壁面部２７１）の点火手段室ハウジング３０側の角度が１１５°
【００５１】
（４）図２、図３のガス発生器で使用できる内側筒状壁部（図４）
図２および図３のガス発生器では、図４に示すような内側筒状壁部３７０を使用することができる。
内側筒状壁部３７０は、筒状壁面部３７１とその内周縁からハウジング半径内側方向に延ばされた内側環状平面部３７２を有している。
筒状壁面部３７１は、その上端側の周壁部がハウジング軸Ｘ方向への凹部３７５と凸部３７６を有している。
凹部３７５と凸部３７６は、周方向に交互に形成されている。
図４に示す内側筒状壁部３７０では、要件（ａ）におけるｈ１は底板１３ａから筒状壁面部の凹部３７５までの高さである。
なお、図４で示す内側筒状壁部３７０は、図１に示す内側筒状壁部７０と同様の形状にして、外側筒状壁部と一体にしたものにすることもできる。
図４に示す内側筒状壁部３７０は、凹部３７５の一つあたりの深さや円周方向の長さおよび数を調整することによって、初期着火空間のガス発生剤の着火後における後期着火空間に存在するガス発生剤の着火・燃焼のタイミングを調整することができる。
また図４に示す内側筒状壁部３７０は、図３に示すような傾斜壁面部２７１を有するものにすることもできる。
【００５２】
（５）図２、図３のガス発生器で使用できる別実施形態の内側筒状壁部（図５）
図２および図３のガス発生器では、図５に示すような内側筒状壁部４７０を使用することができる。
内側筒状壁部４７０は、筒状壁面部４７１とその内周縁からハウジング半径内側方向に延ばされた内側環状平面部４７２を有している。
筒状壁面部４７１は、周壁部において厚さ方向への複数の貫通孔４７３を有している。
貫通孔４７３は、同じ高さ位置において、周方向に等間隔で形成されている。
図５に示す内側筒状壁部４７０では、要件（ａ）におけるｈ１は底板１３ａから貫通孔４７３の下端周縁までの高さである。
なお、図５で示す内側筒状壁部４７０は、図１に示す内側筒状壁部７０と同様の形状にして、外側筒状壁部と一体にしたものにすることもできる。
図５に示す内側筒状壁部４７０は、貫通孔４７３の一つあたりの大きさ、数、高さ位置を調整することによって、初期着火空間のガス発生剤の着火後における後期着火空間に存在するガス発生剤の着火・燃焼のタイミングを調整することができる。
また図５に示す内側筒状壁部４７０は、図３に示すような傾斜壁面部２７１を有するものにすることもできる。
【符号の説明】
【００５３】
１０、１００、２００  人員拘束装置用ガス発生器
１１  ハウジング
１２  ディフューザシェル
１２ａ  天板
１３  クロージャシェル
１３ａ  底板
１４  ガス排出口
２０  点火器
３０  点火手段室ハウジング
３４  点火手段室
４０  外側筒状壁部
５０  環状隔壁部
６０  燃焼室
７０  内側筒状壁部
８０  フィルタ
【図１】
0006009997.tif 000002
【図２】
0006009997.tif 000003
【図３】
0006009997.tif 000004
【図４】
0006009997.tif 000005
【図５】
0006009997.tif 000006